(57)【要約】【課題】腰上げ動作で仰臥位と座位間の体位変換を行う事を可能にする。【解決手段】コ字状枠体１０の内側に軸受けを介して回転可能にステップ枠体２０を軸支し、更に上記ステップ枠体２０に軸受けにより回転可能に軸支された一対の支持材３１，３２を設け、更に上記支持材３１，３２の両端に臀部用シート４０と背中用シート５０を軸受けにより回転可能に軸支した。  【選択図】    図１
2005185816.tif 000002
【特許請求の範囲】
【請求項１】
水平に置かれた相対する直線部分の長さが同じコ字状枠体（１０）の直線部（１０１、１０２）の先端からそれぞれ同じ位置にこの直線部（１０１、１０２）からほぼ垂直に立ち上がりその先端近傍に相対する軸受け（１３，１４）を備えた同形の突出部（１１，１２）が設けられ、また相対する直線部分の長さが同じで先端からの距離が同じ位置で屈曲している一対の屈曲部（２３，２４）を有するコ字状形状のステップ枠体（２０）が、上記コ字状枠体（１０）の内側で、この屈曲部（２３，２４）に設けた軸により上記軸受け（１３，１４）に軸支され、更に上記ステップ枠体（２０）の両先端部にはそれぞれ軸受け（２１，２２）が備えられ、この軸受け（２１，２２）によって同じ長さであって上記直線部（１０１、１０２）より短い一対の平行な支持材（３１，３２）がその長手方向の中間で回転可能に軸支されて上記直線部（１０１、１０２）と隣接して内側に平行に設けられており、そしてこの一対の支持材（３１，３２）の両端には相対する軸受け（４１，４２）と（５１，５２）が取り付けられ、軸受け（４１，４２）には臀部用シート（４０）が、また軸受け（５１，５２）には背中用シート（５０）がそれぞれ各々のシートの両端に付属された金具（６１，６２，７１，７２）を介して回転可能に備えられている事を特徴とする仰臥位、座位間の体位変換を腰上げ動作で行う事を可能にする補助フレーム。
【請求項２】
上記ステップ枠体（２０）の屈曲部（２３，２４）での曲がりを鋭角とし、その水平部（２０１）の中央から、先端には左右対称に同一長さの水平に突き出た翼（２０３，２０３）を有するＴ字状の腿掛け部（２０２）が延設されている事を特徴とする請求項１記載の仰臥位、座位間の体位変換を腰上げ動作で行う事を可能にする補助フレーム。
【請求項３】
上記コ字状形状のステップ枠体（２０）に代えて、一対のＺ字状部材（２０４，２０５）の第一曲がり部（２６，２７）を突出部（１１，１２）で軸受けを介して回転自在に軸支し、上記Ｚ字状部材（２０４，２０５）の第二曲がり部（２８，２９）から上記コ字状枠体（１０）の直線部（１０１，１０２）とほぼ平行でコ字状枠体（１０）の閉じている方向に延びた脚部（２０６，２０７）があり、またこの第二曲がり部（２８，２９）と脚部（２０６，２０７）の先端の中間に横桟（２２０）を設け、さらに第二曲がり部（２８，２９）の外側に取り付けたフック（８１，８２）に両端にリング（８３，８４）を備えた足掛けベルト（８０）を掛け渡している事を特徴とする請求項１又は２記載の仰臥位、座位間の体位変換を腰上げ動作で行う事を可能にする補助フレーム。
【発明の詳細な説明】
【技術分野】
【０００１】
本発明は介護作業者が小さな力で簡単に要介護者の上半身を起こし、座椅子に座らせることが出来、また要介護者の仰臥位と座位間の体位変換を要介護者自らの腰上げ動作等により可能にする補助フレームに関するものである。
【背景技術】
【０００２】
従来ふとんで横になる要介護者の場合、ベッドのようなギャッジ機能がない為、上半身を起こし、安定させることは出来なかった。また座椅子を使用する場合には介護作業者が要介護者の上半身を起こし、身体を持ち上げて、座椅子の上に運ぶ必要があった。
【発明の開示】
【発明が解決しようとする課題】
【０００３】
本発明は仰臥位にある要介護者の身体のそばに本発明を置き、予め要介護者の身体の下に敷いた臀部用シート及び背中用シートのそれぞれ両端を金具に掛けるだけで要介護者本人の意思で腰上げ動作を行い、仰臥位から座位に体位変換が出来、そのまま座位を安定に保て、また逆に座位から仰臥位とする事を可能とし、また腰上げ動作が適わぬ要介護者の場合も介護作業者が容易に仰臥位と座位間の体位変換をする事が出来る事を目的とする。
【課題を解決するための手段】
【０００４】
本発明はこれら課題を解決し、所期の目的を好適に達成するためになされたものである。請求項１記載の仰臥位、座位間の体位変換を腰上げ動作で行う事を可能にする補助フレーム（以下、本発明１と言う）は、水平に置かれた相対する直線部分の長さが同じコ字状枠体１０の直線部１０１、１０２の先端からそれぞれ同じ位置にこの直線部１０１、１０２からほぼ垂直に立ち上がりその先端近傍に相対する軸受け１３，１４を備えた同形の突出部１１，１２が設けられ、また相対する直線部分の長さが同じで先端からの距離が同じ位置で屈曲している一対の屈曲部２３，２４を有するコ字状形状のステップ枠体２０が、上記コ字状枠体１０の内側で、この屈曲部２３，２４に設けた軸により上記軸受け１３，１４に軸支され、更に上記ステップ枠体２０の両先端部にはそれぞれ軸受け２１，２２が備えられ、この軸受け２１，２２によって同じ長さであって上記直線部１０１、１０２より短い一対の平行な支持材３１，３２がその長手方向の中間で回転可能に軸支されて上記直線部１０１、１０２と隣接して内側に平行に設けられており、そしてこの一対の支持材３１，３２の両端には相対する軸受け４１，４２と５１，５２が取り付けられ、軸受け４１，４２には臀部用シート４０が、また軸受け５１，５２には背中用シート５０がそれぞれ各々のシートの両端に付属された金具６１，６２，７１，７２を介して回転可能に備えられている事を特徴とする。
【０００５】
請求項２記載の仰臥位、座位間の体位変換を腰上げ動作で行う事を可能にする補助フレーム（以下、本発明２と言う）は、上記ステップ枠体２０の屈曲部２３，２４での曲がりを鋭角とし、その水平部２０１の中央から、先端には左右対称に同一長さの水平に突き出た翼２０３，２０３を有するＴ字状の腿掛け部２０２が延設されている事を特徴とする。
【０００６】
請求項３記載の仰臥位、座位間の体位変換を腰上げ動作で行う事を可能にする補助フレーム（以下、本発明３と言う）は、上記コ字状形状のステップ枠体２０に代えて、一対のＺ字状部材２０４，２０５の第一曲がり部２６，２７を突出部１１，１２で軸受けを介して回転自在に軸支し、上記Ｚ字状部材２０４，２０５の第二曲がり部２８，２９から上記コ字状枠体１０の直線部１０１，１０２とほぼ平行でコ字状枠体１０の閉じている方向に延びた脚部２０６，２０７があり、またこの第二曲がり部２８，２９と脚部２０６，２０７の先端の中間に横桟２２０を設け、さらに第二曲がり部２８，２９の外側に取り付けたフック８１，８２に両端にリング（８３，８４）を備えた足掛けベルト（８０）を掛け渡している事を特徴とする。
【０００７】
本発明には両手で握って上体を起こすための握り棒１５，１６が設けられている事が好ましい。その設置位置としては、上記コ字状枠体１０の突出部１１，１２に付属して設けてもよく、或いは上記コ字状枠体１０の直線部１０１，１０２に設けてもよい。さらにこの握り棒１５，１６の代わりに図６に示すように中心を軸受け１３，１４の垂直線上に置く半円形の握り部１５０，１６０を設けた方が体位の変化に応じて握る箇所をずらす事が出来るのでより好ましい。
【０００８】
本発明２での屈曲部２３，２４の曲がりの角度は鋭角であることが必要である。ここで言う鋭角とは４０度〜９０度であり、なかでも６０度から８０度が好ましい。
【０００９】
本発明３には座位時の体勢を安定させるためにＺ字状部材２０４，２０５の脚部２０６，２０７の先端をコ字状枠体１０に固定するためにこの脚部２０６，２０７の先端に係止孔９１を設け、コ字状枠体１０にストッパー９０が設けられている事が好ましい。
【発明の効果】
【００１０】
本発明１を用いれば腰上げ動作を行うことが出来る要介護者が自分の意思で腰上げ動作を行う事によって上体を起こし座位となり、自身の体重により座位の状態を力を要する事なく維持する事が出来、また一方、上体をそむけ腰上げ動作をすることで仰臥位に戻る事が出来る。さらに腰上げ動作が適わぬ要介護者においては介護作業者が要介護者の身体を持ち上げ、座椅子に運ぶ必要がなく、容易に要介護者の身体の仰臥位と座位の体位変換をする事が出来る。
【００１１】
本発明２を用いれば本発明１と同じ効果が得られる上に、腰上げ動作が可能な要介護者においては介護作業者の援助を必要とせずに、寝ている状態から足を上げて腿掛け部２０２の翼２０３に腿を掛けて、腰上げ動作により座位になり、また座位の状態から横になりたい時に腰上げ動作により仰臥位となり、最後に足を腿掛け部２０２の翼２０３から外し、完全に横になることが出来る。
【００１２】
本発明３を用いれば上記本発明２と同様の効果が得られるうえに、要介護者の身体の上方のクリアランスが確保できるので寝返りが出来たり、威圧感が解消出来ると同時に座位時の要介護者の座り心地が大幅に改善できるという利点がある。
【発明を実施するための最良の形態】
【００１３】
以下、本発明の実施の形態を図６に基づいて説明する。
【実施例１】
【００１４】
以下本発明１の実施の形態の一例を図面を用いて説明する。図１に示すようにコ字状枠体１０、突出部の１１と１２、ステップ枠体２０及び握り棒１５，１６には３ｍｍ厚で２５ｍｍ径のアルミパイプを使用し、支持材３１，３２には幅２０ｍｍ、厚さ２０ｍｍのステンレス製の四角柱を使用し、また軸受け１１，１２、２１，２２、４１，４２、５１，５２にはニードルベアリングを使用した。背中用シート５０及び臀部用シート４０にはナイロン生地を使用し、両端を筒状に折り返して縫い合わせた。またシート用金具６１，６２，７１，７２は長さ２７０ｍｍで１５ｍｍ径のステンレスの丸棒の中央部に５ｍｍ厚で１０ｍｍ径、長さ１０ｍｍのステンレスパイプを溶接し、ニードルベアリング４１，４２，５１，５２を通しネジ止めし、両端は上記各々のシートの筒に通した１０ｍｍ径のステンレス製丸棒の端を引っ掛ける為のステンレス製の半円筒状のフックを溶接した。また突起部１１，１２は強度を上げる為に２５ｍｍ径のアルミパイプを２本並べて溶接した。
【００１５】
本発明１の実施の形態の一例での各寸法はコ字状枠体１０の幅は７００ｍｍで直線部１０１，１０２の長さは７００ｍｍとした。突起部１１，１２の軸受け１３，１４からコ字状枠体の直線部１０１．１０２のパイプ中心までの距離は１８０ｍｍとした。またステップ枠体２０の屈曲部２３，２４にある軸受け１３，１４から先端部の軸受け２１，２２までの距離を２００ｍｍとし、上記軸受け１３，１４から腿を掛けるステップ枠体２０の水平部分のパイプ中心までの距離を３００ｍｍとし、上記ステップ枠体２０の屈曲部２３，２４の角度は１２５度とした。また支持材３１，３２の長さを４２０ｍｍとし、更にその軸受け２１と４１、軸受け２２と４２の距離をそれぞれ３００ｍｍとし、同じく軸受け２１と５１、軸受け２２と５２の距離をそれぞれ１００ｍｍとした。また臀部シート、背中用シートは幅を２２０ｍｍとし、両端の筒から筒までの長さを５００ｍｍとした。そして臀部シート４０、背中用シート５０に通す１０ｍｍ径のステンレス丸棒の長さは２４０ｍｍとした。
【実施例２】
【００１６】
以下本発明２の実施の形態の一例を図面を用いて説明する。図２に示すように上記本発明１の実施の形態の一例と同じものであり、上記ステップ枠体２０の屈曲部２３，２４の角度を７０度とし、上記ステップ枠体２０の軸受け１３，１４から同じくステップ枠体２０の水平部２０１の中心までの長さを５００ｍｍとし、また腿掛け部２０２の先端部の翼２０３と上記軸受け１３，１４をむすぶ線と同じく軸受け１３，１４と上記ステップ枠体２０の先端の軸受け２１．２２を結ぶ線との角度を１２５度となるようにした。また上記腿掛け部２０２の翼２０３中心から軸受け１３，１４までの距離が３００ｍｍとなるようにした。また腿掛け部２０２の先端に左右対称に水平に突き出た翼２０３の長さを左右それぞれ２００ｍｍとした。
【００１７】
次に本発明２を用いて要介護者が腰上げ動作によって仰臥位と座位間の体位変換を行う要領及び原理を説明する。まず仰臥位の要介護者の腰の位置に本実施例２の突起部１１，１２が来るように予め外した臀部用シートと背中用シートをおむつ交換の要領で要介護者の臀部と背中の真下にそれぞれ敷き、次に上記二つのシートの両端の筒になっている箇所にそれぞれステンレス製丸棒を通しておく。次に要介護者の足の下を通して本発明２を上記の位置に設置し、二つのシートからはみでたステンレス製丸棒の両端を金具６１，６２，７１，７２に設けた半円筒状のフックに掛ける。以上でセッティングは完了となる。次に図３のように要介護者が両手で握り棒１５，１６を握り、足を上げて、腿を腿掛け部２０２の両翼２０３に掛け、腰を上げる要領で腿を下に下げて腿掛け部２０２を押し下げる。すると腿掛け部２０２が下がるのに呼応して臀部シート４０がふとんから離れ上がっていき、徐々に全体重が突起部１１，１２の軸受け１３，１４に架かって来て図４の状態になる。この時身体の重心がベアリング１３，１４よりも若干足方向に寄っていればゆっくりと背中用シート５０と頭が浮き上がり、握り棒１５，１６を握った手に力を入れる必要はない。これが理想の位置となるが握り棒１５，１６を握った手の力で補いながら上体を起こすことも出来る。また容易に上記の効果が得られない場合は一旦元に戻し、身体と本発明２の位置関係を調整する。そして次の動きとなるが、更に徐々に足が下がり頭が上がるに従い今度は全体重を支えている二つのシートの体重の掛かり具合の配分が変化し、重心が背中用シート５０から臀部用シート４０に移動してゆき、それに従って臀部シート４０が下がり、背中用シート５０が上がり垂直に立ってくる。そして最終的に図５のように臀部シート４０が下がり、ふとんに着くと体重のほとんどが臀部用シート４０に架かり押さえる事になるので安定した座位となる。次に要介護者が横になりたくなった時は同じように背筋を使い、背中を後に反るようにしてお尻を浮かせると背中用シート５０が下がり、臀部用シート４０が上がり、身体が水平になってくる。そして握り棒１５，１６を握る手の力で補いながら身体を水平にし、ひざを曲げて腿をお腹の方に近づけてゆくと頭や背中用シート５０が下がってゆき、ふとんまで戻ると腿を完全に曲げて、腿掛け部２０２を押さえる力を緩めると腿掛け部２０２が完全に上がり、それに応じて臀部用シート４０が下がり、臀部がふとんに戻る。そして腿を腿掛け部２０２の翼２０３から外し完全に横になることが出来る。
【実施例３】
【００１８】
以下本発明３の実施の形態の一例を図面を用いて説明する。図６に示すように上記本発明２の実施の形態と同じものであり、Ｚ字状部材２０４，２０５、横桟２０２、握り部１５０，１６０には２５ｍｍ径のアルミパイプを使用し、足掛けベルト８０の両端のリング８３，８４とフック８１，８２およびストッパー９０に使用する金属棒にはステンレスを使用した。そしてＺ字状部材２０４，２０５の第一曲がり部２６，２７の角度は７０度とし、第一曲がり部２６，２７の軸受け１３，１４の中心から先端の支持材３１，３２の軸受け２１，２２の中心まで、第二曲がり部２８，２９の外側のフック８１，８２まで、および脚部２０６，２０７の先端までの長さはそれぞれ１５０ｍｍ、３７５ｍｍ、４２０ｍｍとし、上記フック８１，８２から脚部２０６，２０７の先端までの長さは３５０ｍｍとした。また上記脚部２０６，２０７の先端から横桟２０２までの長さを２７５ｍｍとし、第一曲がり部２６，２７の軸受け１３，１４の中心から第二曲がり部２８，２９の方向へ２０５ｍｍの位置のそれぞれ内側にゴム材をねじで固定して突起を設けた。また脚部２０６の先端にはゴム製の緩衝材を取り付け、Ｚ字状部材２０４，２０５を回転させるとコ字状枠体１０の閉じている部分に当たるようにし、ストッパー９０は１０ｍｍ径のステンレスの丸棒をコ字状枠体１０の直線部１０１と平行にスライド出来る構造にし、脚部２０６の先端がコ字状枠体１０に当たる位置で上記ステンレス棒が脚部２０６の先端を貫く位置に係止孔９１を設けた。さらに握り部１５０，１６０は曲線部が半径７０ｍｍ半円で直線部が３００ｍｍの逆Ｕ字形とし、足掛けベルトは巾８５ｍｍ、長さはリングを含めて１１００ｍｍとした。またフック８１，８２には先端に厚さ１０ｍｍ、直径３０ｍｍの円盤を有するボルトで固定した。
【００１９】
次に本発明３を用いて要介護者が腰上げ動作によって仰臥位と座位間の体位変換を行う要領に続き介護者が要介護者を仰臥位から座位にする要領を説明する。まず図７のように本発明２の要領でセッティングを完了した後、要介護者が自ら足を上げ、足の下に足掛けベルトを通して腿の裏側に掛け、足掛けベルトのリングをフックに掛けて両手で左右の握り部を握る。次に図８のように腰上げ動作の要領で足掛けベルトを腿で押し下げながら、腰を上げて身体を若干反らせるようにすると徐々に足側が下がり頭が上がって来るに従い、臀部が下がり、図９のように座位になり、最後にストッパーを掛ける。また座位から横になりたくなった時はストッパーを外し、握り部を持ち、後に反り返るようにもたれると徐々に臀部が上がり、後に倒れ上半身を寝かせることが出来るので図７の状態に戻ることが出来、足掛けベルトのリングを外して仰臥位になることが出来る。場合により足が下がらずにうまく座位になれない時は要介護者の重心が軸受け１３，１４から頭方向にずれている事が考えられるので本発明３に対して要介護者を足方向に若干移動させると良い。また要介護者に力が残っていないときは図１０のように介護作業者が介護者の足を上げて足掛けベルトを足の下に通してリングをフックに掛けて横桟を持ち、引きながら要介護者の上半身を起こし、座位になったら最後にストッパーを掛ける。さらに図１１のように座位状態での生活や行動の巾を広げるために裏面の端に２箇所、横桟を挟むことが出来る樹脂製の半円筒形部材をねじ留めした巾６００ｍｍのテーブルを作り、横桟に固定した。これによりテーブルは横桟とＺ字状部材の第１曲がり部と第２曲がり部の間に設けた二つのゴム製の出っ張りで水平に保持されるので、食事や読書などが出来て、さらに利便性が高まる。
【図面の簡単な説明】
【００２０】
【図１】本発明1の実施形態の一例を示す斜視図である。
【図２】本発明２の実施形態の一例を示す斜視図である。
【図３】本発明品を実際に使用する状況を説明する説明図である。
【図４】本発明品を実際に使用する状況を説明する説明図である。
【図５】本発明品を実際に使用する状況を説明する説明図である。
【図６】本発明３の実施形態の一例を示す斜視図である。
【図７】本発明品を実際に使用する状況を説明する説明図である。
【図８】本発明品を実際に使用する状況を説明する説明図である。
【図９】本発明品を実際に使用する状況を説明する説明図である。
【図１０】本発明品を実際に使用する状況を説明する説明図である。
【図１１】本発明品を実際に使用する状況を説明する説明図である。
【符号の説明】
【００２１】
１０              コ字状枠体
１１，１２        突起部
１３，１４，２１，２２，４１，４２，５１，５２        軸受け
１５，１６        握り棒
ステップ枠体
２３，２４        屈曲部
２６，２７        第一曲がり部
２８，２９        第二曲がり部
３１，３２        支持材
臀部用シート
背中用シート
６１，６２，７１，７２    金具
８０              足掛けベルト
８１，８２        フック
８３，８４        リング
９０              ストッパー
９１              係止孔
１０１，１０２    直線部
１５０，１６０    握り部
２０１            水平部
２０２            腿掛け部
２０３            翼
２０４，２０５    Ｚ字状部材
２２０            横桟
３００            テーブル
【図１】
2005185816.tif 000003
【図２】
2005185816.tif 000004
【図３】
2005185816.tif 000005
【図４】
2005185816.tif 000006
【図５】
2005185816.tif 000007
【図６】
2005185816.tif 000008
【図７】
2005185816.tif 000009
【図８】
2005185816.tif 000010
【図９】
2005185816.tif 000011
【図１０】
2005185816.tif 000012
【図１１】
2005185816.tif 000013